(57)【要約】  通信ネットワークで使用するための中継器であって、該中継器は、少なくとも１つのユーザ機器からデータを受信しそれにデータを送信するように配置されており、その際該中継器は、ユーザ機器から受信した設定データを処理し、処理された設定データに応じてユーザ機器にデータを送信するように配置されたプロセッサを備える。
2009543400.tif 000002
【特許請求の範囲】
【請求項１】
通信ネットワークで使用するための中継器であって、前記中継器が、少なくとも１つのユーザ機器からデータを受信し該少なくとも１つのユーザ機器にデータを送信するように配置されており、
前記中継器が、前記ユーザ機器から受信した設定データを処理し、前記処理された設定データに応じて前記ユーザ機器にデータを送信するように配置されたプロセッサを備える、中継器。
【請求項２】
前記設定データがレンジングデータである、請求項１に記載の中継器。
【請求項３】
前記設定データがＣＤＭＡレンジングデータである、請求項１または２に記載の中継器。
【請求項４】
前記設定データが、前記中継器から前記少なくとも１つのユーザ機器への無線通信リンクを設定するためのデータである、請求項１〜３のいずれか１項に記載の中継器。
【請求項５】
前記プロセッサがさらに、前記処理された設定データに応じて設定応答成功メッセージを送信するように配置されている、請求項１〜４のいずれか１項に記載の中継器。
【請求項６】
前記中継器がさらに、さらなるデータを基地局に送信し、さらなるデータを該基地局から受信するように配置されており、
前記プロセッサがさらに、さらなる設定データを前記基地局に送信するように配置されている、請求項１〜５のいずれか１項に記載の中継器。
【請求項７】
前記さらなる設定データがさらなるレンジングデータを備える、請求項６に記載の中継器。
【請求項８】
前記さらなる設定データがＣＤＭＡレンジングデータである、請求項６または７に記載の中継器。
【請求項９】
前記さらなる設定データが、前記中継器から前記基地局への無線通信リンクを設定するためのデータである、請求項６〜８のいずれか１項に記載の中継器。
【請求項１０】
前記さらなる設定データが帯域幅要求を備える、請求項６〜１０のいずれか１項に記載の中継器。
【請求項１１】
前記プロセッサが、前記ユーザ機器から受信した設定データを処理することとさらなる設定データを前記基地局に送信することとを並行して実行するように配置されている、請求項６〜１０のいずれか１項に記載の中継器。
【請求項１２】
通信ネットワークで使用するための中継器を動作させるための方法であって、前記中継器が、少なくとも１つのユーザ機器からデータを受信し該少なくとも１つのユーザ機器にデータを送信するように配置されており、前記方法が、
前記中継器で前記ユーザ機器から受信した設定データを処理するステップと、
前記処理された設定データに応じて前記中継器から前記ユーザ機器にデータを送信するステップとを備える方法。
【請求項１３】
前記設定データがレンジングデータである、請求項１２に記載の中継器を動作させるための方法。
【請求項１４】
前記設定データがＣＤＭＡレンジングデータである、請求項１２または１３に記載の中継器を動作させるための方法。
【請求項１５】
前記設定データが、前記中継器から前記少なくとも１つのユーザ機器への無線通信リンクを設定するためのデータである、請求項１２〜１４のいずれか１項に記載の中継器を動作させるための方法。
【請求項１６】
さらに、前記処理された設定データに応じて前記中継器から前記ユーザ機器に設定応答成功メッセージを送信するステップを備える、請求項１２〜１５のいずれか１項に記載の中継器を動作させるための方法。
【請求項１７】
前記中継器がさらに、基地局にさらなるデータを送信しさらなるデータを該基地局から受信するように配置されており、前記方法がさらに、前記中継器から前記基地局にさらなる設定データを送信するステップを備える、請求項１２〜１６のいずれか１項に記載の中継器を動作させるための方法。
【請求項１８】
前記さらなる設定データがさらなるレンジングデータを備える、請求項１７に記載の中継器を動作させるための方法。
【請求項１９】
前記さらなる設定データがＣＤＭＡレンジングデータである、請求項１７または１８に記載の中継器を動作させるための方法。
【請求項２０】
前記さらなる設定データが、前記中継器から前記基地局への無線通信リンクを設定するためのデータである、請求項１７〜１９のいずれか１項に記載の中継器を動作させるための方法。
【請求項２１】
前記さらなる設定データが帯域幅要求を備える、請求項１７〜２０のいずれか１項に記載の中継器を動作させるための方法。
【請求項２２】
前記中継器で前記ユーザ機器から受信した設定データを処理するステップと前記中継器から前記基地局にさらなる設定データを送信するステップとが実質上並行して実行される、請求項１７〜２０のいずれか１項に記載の中継器を動作させるための方法。
【請求項２３】
通信ネットワークで使用するための中継器を動作させるための方法を実行するコンピュータを動作させるように配置されたコンピュータプログラムであって、前記中継器が、少なくとも１つのユーザ機器からデータを受信し該少なくとも１つのユーザ機器にデータを送信するように配置されており、前記方法が、
前記中継器で前記ユーザ機器から受信した設定データを処理するステップと、
前記処理された設定データに応じて前記中継器から前記ユーザ機器にデータを送信するステップとを備えるコンピュータプログラム。
【発明の詳細な説明】
【技術分野】
【０００１】
本発明は、中継器、信号を転送する方法および通信システムに関する。中継器は特に、ただし非排他的に、マルチレベル中継チェーンの一部である。
【背景技術】
【０００２】
情報を転送するために中継ユニットを使用するネットワークは周知である。セルラ無線ネットワークのような無線ネットワークでは、基地送受信局から送信される信号のための中継ユニットを提供することが知られている。こうした配置では、基地送受信局が送信する無線信号は中継ユニットによって受信され、中継ユニットによって、通常移動端末または他のユーザ機器に再送信される。
【０００３】
現在、高速データ転送サービスを提供するため無線ネットワークで十分な受信可能範囲を確保することが課題になっている。現在のシステムでは、可能な帯域幅は、ユーザ機器から基地局へのデータ誤り率によって制限されており、距離の逆数に強く相関するので、普通高いデータ転送速度を得られる可能性があるのは基地局に近いユーザ機器だけである。したがって、高速データ転送の受信可能範囲を獲得するためにはより多数の基地局が必要である。しかし、基地局の数を増大するのはコストがかかる。
【０００４】
セル内でデータ転送速度をより均一に分布させるため中継ユニットまたは中継器が提案されている。しかし、中継器または中継ユニットを無線通信システムに統合することにまつわる問題が存在する。
【０００５】
１つの既知の問題は、基地局とユーザ機器との間で動作する中継局が存在する場合におけるレンジング、すなわち、ユーザ機器をネットワークに初めに接続することに関連する。こうした環境では、ユーザ機器と基地局との間で実行されるレンジング手順を直接適用することはできない。例えば、ＷｉＭａｘとしても知られる、ＩＥＥＥ８０２．１６で定義されたレンジング処理は、ユーザ機器の初期レンジングメッセージが中継局を介して基地局に送られることを必要とする。しかし、ユーザ機器と中継局との間の接続は基地局と中継局との間の接続と異なっているため、中継局は、基地局と中継局との間の接続に関連する初期測定および設定に関するレンジングメッセージを簡単に中継することができない。さらに、ＩＥＥＥ８０２．１６で実現される基地局はユーザ機器と中継局との間の無線接続について知らない。
【０００６】
さらに、初期レンジングメッセージが無線中継局を介して基地局に転送された場合、各段階で多数のレベルのコンテンションの解決が必要になるが、これはレンジング手順のために必要な合計時間を増大することになる。
【発明の概要】
【発明が解決しようとする課題】
【０００７】
本発明の実施形態の目的は、この問題に対処または少なくともそれを緩和することである。
【課題を解決するための手段】
【０００８】
本発明によれば、通信ネットワークで使用するための中継器であって、該中継器が、少なくとも１つのユーザ機器からデータを受信しそれにデータを送信するように配置されており、その際該中継器が、ユーザ機器から受信した設定データを処理し、処理された設定データに応じてユーザ機器にデータを送信するように配置されたプロセッサを備える中継器が提供される。
【０００９】
設定データは好適にはレンジングデータである。
【００１０】
設定データは好適にはＣＤＭＡレンジングデータである。
【００１１】
設定データは好適には、中継器から少なくとも１つのユーザ機器への無線通信リンクを設定するためのデータである。
【００１２】
プロセッサは好適にはさらに、処理された設定データに応じて設定応答成功メッセージを送信するように配置されている。
【００１３】
中継器は好適にはさらに、さらなるデータを基地局に送信し、さらなるデータを基地局から受信するように配置されており、その際プロセッサはさらに、さらなる設定データを基地局に送信するように配置されている。
【００１４】
さらなる設定データは好適にはさらなるレンジングデータを備える。
【００１５】
さらなる設定データは好適にはＣＤＭＡレンジングデータである。
【００１６】
さらなる設定データは好適には、中継器から基地局への無線通信リンクを設定するためのデータである。
【００１７】
さらなる設定データは、帯域幅要求を備えてもよい。
【００１８】
プロセッサは好適には、ユーザ機器から受信した設定データを処理することとさらなる設定データを基地局に送信することとを並行して実行するように配置されている。
【００１９】
本発明の第２の態様によれば、通信ネットワークで使用するための中継器を動作させるための方法であって、該中継器が、少なくとも１つのユーザ機器からデータを受信しそれにデータを送信するように配置されており、その際該方法が、中継器でユーザ機器から受信した設定データを処理するステップと、処理された設定データに応じて中継器からユーザ機器にデータを送信するステップとを備える方法が提供される。
【００２０】
設定データはレンジングデータでもよい。
【００２１】
設定データは好適にはＣＤＭＡレンジングデータである。
【００２２】
設定データは好適には、中継器から少なくとも１つのユーザ機器への無線通信リンクを設定するためのデータである。
【００２３】
中継器を動作させるための該方法はさらに、処理された設定データに応じて中継器からユーザ機器に設定応答成功メッセージを送信するステップを備えてもよい。
【００２４】
中継器は好適にはさらに、基地局にさらなるデータを送信しさらなるデータを該基地局から受信するように配置されており、該方法はさらに、中継器から基地局にさらなる設定データを送信するステップを備えてもよい。
【００２５】
さらなる設定データはさらなるレンジングデータを備えてもよい。
【００２６】
さらなる設定データはＣＤＭＡレンジングデータでもよい。
【００２７】
さらなる設定データは好適には、中継器から基地局への無線通信リンクを設定するためのデータである。
【００２８】
さらなる設定データは帯域幅要求を備えてもよい。
【００２９】
中継器でユーザ機器から受信した設定データを処理するステップと中継器から基地局にさらなる設定データを送信するステップとは好適には実質上並行して実行される。
【００３０】
本発明の第３の態様によれば、通信ネットワークで使用するための中継器を動作させるための方法を実行するコンピュータを動作させるように配置されたコンピュータプログラムであって、該中継器が、少なくとも１つのユーザ機器からデータを受信しそれにデータを送信するように配置されており、その際該方法が、中継器でユーザ機器から受信した設定データを処理するステップと、処理された設定データに応じて中継器からユーザ機器にデータを送信するステップとを備えるコンピュータプログラムが提供される。
【００３１】
本発明をよりよく理解するため、かつ本発明をいかに実施するかという点に関して、一例としてのみ添付の図面を参照されたい。
【図面の簡単な説明】
【００３２】
【図１】本発明の実施形態を実現しうる通信ネットワークの概略図を示す。
【図２】本発明を実施する図１に示す中継ユニットを示す。
【図３】図１に示す通信ネットワークの一部の概略図を示す。
【図４】図２に示す中継器で実現される本発明の第１の実施形態での信号の流れの概略図を示す。
【図５】図２に示す中継器で実現される本発明のさらなる実施形態での信号の流れの概略図を示す。
【発明を実施するための形態】
【００３３】
図１は通信ネットワークを示す。通信ネットワークは、基地局としても知られる基地送受信局（ＢＳ）１、２を備える。基地局（ＢＳ）は、基地局制御装置（ＢＳＣ）９と通信できるように配置する。他の実施形態では、基地局は任意の既知の公衆移動通信網（ＰＬＭＮ）インフラストラクチャと通信できるように配置する。また、基地局１、２はユーザ機器７と通信できるように配置する。また、基地局は中継局（ＲＳ）３、５と通信できるように配置する。
【００３４】
中継局（ＲＳ）３、５は基地送受信局（ＢＳ）１、２と通信できるように配置する。また、中継局は移動局（ＭＳ）７に接続できる。また、中継局（ＲＳ）３、５は他の中継局（ＲＳ）５、３と通信できる。
【００３５】
また、中継局の連係も図１に示す。図１は、基地局１に直接接続する第１の中継局群３と、第１の中継局群３を介して基地局１に接続する第２の中継局群５とを示す。図１には図示しないが、この連鎖は、さらなる中継局群が先行する中継局群を介して基地局に接続するように拡張できる。本発明の理解をさらに助けるために、第１の中継局群３の１つに参照番号ＲＳ００を付し、第２の中継局群５の１つに参照番号ＲＳ０１を付した。これらの参照番号は例示的なものに過ぎず、任意の２つの連鎖された中継局に適用でき、すなわち、以下説明する例は、隣接する中継局群の任意の２つの相互接続された中継局に適用できる。
【００３６】
ユーザ機器（ＵＥ）、移動局（ＭＳ）または加入者局（ＳＳ）は、移動局、移動電話、電子手帳、ＰＤＡ（携帯情報端末）、コンピュータ、携帯型コンピュータ、ノートブックコンピュータ等といった任意の適切な携帯のユーザ機器でもよい。
【００３７】
実際には、さらに多くのユーザ機器が提供される。また、本発明の実施形態によっては、中継ユニットは１つより多い基地局と通信できるようにしてもよいことを理解されたい。本発明の理解を助けるため、ここで論じられる例は、基地局１、中継局５ａ、ならびにユーザ機器７ａおよび７ｂを備えるネットワークの一部に関する。エンティティの他の配置も可能であることを当業者は理解するだろう。
【００３８】
本発明を実施する中継局（ＲＳ）５ａを図２により詳細に示す。中継局ＲＳ５ａは、基地局１，ユーザ機器７ａ、７ｂおよび他の中継局３、５との間で無線周波数信号を送受信できるように配置したアンテナ１０１を備える。アンテナ１０１は、ビーム形成およびある特定の空間方向の信号の送受信ができるアンテナアレイを備えてもよい。
【００３９】
中継局ＲＳはさらに、アンテナ１０１に接続し、アンテナから無線周波数信号を受信してベースバンド信号を出力しベースバンド信号を受信して送信のためアンテナ１０１に無線周波数信号を送信できるように配置した送受信機１０５を備える。
【００４０】
中継局ＲＳ５ａはさらに、送受信機を制御し中継局メモリ１０７を操作するように配置したプロセッサ１０３を備える。
【００４１】
中継局ＲＳ５ａはさらにメモリ１０７を備えるが、これは中継局５ａの動作のための命令を格納するように配置する。さらに、メモリは、受信データを宛先に再送信する前にバッファするように配置してもよい。本発明の実施形態によっては、異なる種類のデータを格納するために別個のメモリを使用してもよく、すなわち、受信データは磁気記憶媒体に格納してもよく、命令は半導体メモリ素子に格納してもよい。
【００４２】
図２に示す中継局の例は機能を例示するものであることを認識されたい。送受信回路１０５の態様はプロセッサ１０３に組み込んでもよく、またその逆でもよいことを認識されたい。
【００４３】
図３は、図１に示す無線ネットワークの小さな一部分を示す。図３は、レベル２通信リンクを介して中継局５ａに接続した基地局１（ＢＳ）を示す。さらに、中継局５ａは、Ｌ１リンクを介して、パーソナルコンピュータとして示されるユーザ機器（ＵＥ）または加入者局（ＳＳ）７ｂに接続する。基地局は最初の時刻にはＬ２リンクを介して移動局（ＭＳ）またはユーザ機器（ＵＥ）７ａに接続して移動局７ａの移動に追従していることが示され、移動局は中継局５ａがサービスを提供する領域内に位置していることが示される。中継局は、Ｌ１リンクを介して移動局７ａと通信していることが示される。移動局７ａはこの例では移動電話として示されているが、任意の適切なユーザ機器を代替的に使用してもよい。
【００４４】
移動局７ａが第１の時点で基地局を介してネットワークに最初にアクセスしようとする時、すなわち、ＢＳに直接接続しようとする時、ＩＥＥＥ８０２．１６（またはＷｉＭａｘ）標準は、ユーザ機器と基地局との間でレンジング手順が実行されることを指示している。このレンジング手順の際、ユーザ機器は、基地局と通信するために必要な符号、周波数および他のパラメータをユーザ機器に割り当てるコンテンションベースの符号分割多重アクセス（ＣＤＭＡ）レンジングを実行する。ＭＳから初期ＣＤＭＡ符号シーケンスおよびパラメータを無事に受信すると、基地局は電力、タイミング、および周波数の調整をＭＳに提供する。するとＭＳは、こうした調整値を使用し、新しい値を使用してさらなるコンテンションベースのＣＤＭＡレンジング処理を実行する。この手順は、基地局での受信が必要なしきい値の範囲内になるまで繰り返される。必要なしきい値が満たされると、基地局はユニキャストアップリンク割り当て、すなわち、ＣＤＭＡ＿ＡＬＬＯＣＡＴＩＯＮ＿ＩＥなどのメッセージを使用してＭＳからいつどの帯域幅で送信するかの割り当てを提供する。このアップリンク割り当てメッセージを受信すると、ＭＳはレンジ要求メッセージの形態で、完全なレンジングメッセージを基地局に送る。
【００４５】
しかし、図３の第２の時点で示すように、移動局が中継局の受信範囲内に移動して基地局の範囲を出る時、中継局に属するユーザ機器のためのレンジング手順は異なったものになる。
【００４６】
中継局がその固有のプリアンブルおよびマッピング変数（ＭＡＰ）を送信すると想定すると、ユーザ機器は中継局とその固有のレンジングを実行し、ユーザ機器の交信は基地局がアンカーとなる（別言すれば、基本、主要接続識別子（ＣＩＤ）のようなパラメータの割り当ては全て基地局が行う）。ＣＩＤは、８０２．１６ＭＡＣにおけるサービスおよび／または（グループ内の）１人以上のユーザを識別する。全てのＭＡＣパケットはＣＩＤを有する。ＣＩＤに基づいて、８０２．１６装置はＭＡＣパケットの受信者を決定できる。メッセージカテゴリを識別する、いくつかの異なる種類のＣＩＤが存在する。
【００４７】
８０２．１６におけるＣＩＤは１６ビット長である。
【００４８】
多様なＣＩＤグループとは、（マルチキャストグループをアドレスするために使用する）ブロードキャスト、マルチキャストＣＩＤと、ユニキャスト（帯域幅割り当て、ポーリング、レンジングの勧誘といった移動局固有のメッセージ）ＣＩＤとである。
【００４９】
ユニキャストＣＩＤはさらに、管理ＣＩＤ（ＭＳとＢＳとの間のシグナリングメッセージ）と（ユーザデータを伝える）トランスポートＣＩＤとに分類できる。
【００５０】
主要ＣＩＤは認証および登録メッセージのような遅延を許容するメッセージのために使用し、基本ＣＩＤは、例えばＰＨＹパラメータまたはポーリングのような遅延を許容しないメッセージのために使用する。
【００５１】
レンジングにはＵＬ−ＭＡＰ、すなわちＢＳから送信されアップリンクでユーザ機器のために割り当てられる専用帯域幅を示すメッセージがある。ＵＬ−ＭＡＰで割り当てられた帯域幅を使用して、ＭＳはレンジング要求を送る。この時点で、ＭＳはＣＩＤを割り当てられていない。このメッセージのために、ＭＳは初期レンジングＣＩＤと呼ばれる周知の接続ＩＤを使用するが、その値は０×０００である。そのメッセージに応答して、ＢＳはレンジング応答を送るが、これは基本および主要ＣＩＤをＭＳに割り当てるものである。この後ＭＳはＭＡＣメッセージでこれらのＣＩＤを使用できる。
【００５２】
図３では、Ｌ１は上記で説明したようにＭＳと中継局との間の無線通信リンクを定義し、Ｌ２は中継局と基地局との間またはＭＳと基地局との間の無線通信リンクを定義する。Ｌ１リンク上の無線条件は通常Ｌ２リンク上の条件と異なっている。したがって、Ｌ２リンクに関してすでに実行された電力、タイミングおよび周波数の調整は、中継局の初期セットアップまたはレンジングの際に決定されるものであって、ＭＳ７ａが中継局とのレンジングを開始したい時にＭＳが単純に転送して使用することはできない。したがって、基地局はＬ１リンクの無線条件を元々知らないので、中継局もＬ２リンクおよび中継局の初期レンジングに関する既知のレンジングメッセージを単純に中継することはできない。
【００５３】
１つの解決法は、基地局へのレンジング手順で全てのメッセージを転送するように中継局に要求することである。しかし、この複数のレベルのコンテンションは各リンクについて大きな遅延とシグナリング帯域幅の浪費を発生する。
【００５４】
図４および図５は、この問題を緩和する２つの方法を示す。本発明の実施形態として中継局で実現されるこれらの解決法のどちらでも、ＣＤＭＡ初期レンジング要求を基地局に転送することはない。しかし、中継局はローカルレンジングを実行する。ＭＳが属する中継局は初期レンジング、すなわちＲＳとＭＳとの間のＬ１リンクの調整を実行した後、初期レンジングが完了したら、完全なレンジング要求メッセージを基地局に転送する。
【００５５】
さらに、中継局が初期ローカルレンジングコンテンションＣＤＭＡ手順を実行するのと同時に、本発明の実施形態の中継局はまた、Ｌ２リンク上で基地局に対してアップリンク帯域幅要求／レンジング要求を送信する。中継局は、この処理を並行して、または部分的に並行して実行すると、レンジング手順の遅延を大きく減少させることができる。
【００５６】
図４は、本発明の第１の実施形態の実現を示す。ステップ２０１ａでは、最初のＣＤＭＡレンジング要求を移動局から中継局に送る。中継局はステップ２０３でＣＤＭＡレンジング要求を受信すると、移動局のためのいくつかの調整値を含む応答メッセージ（ＲＮＧ＿ＲＳＰ）を移動局に返送する。
【００５７】
移動局はこうした調整値を使用してＣＤＭＡレンジングメッセージを再送し、Ｌ１リンクについてのＣＤＭＡレンジング処理が完了するまでさらなる応答を受信する。
【００５８】
完了した状態を図４の、最終ＣＤＭＡレンジングメッセージが移動局から無線中継局に送られるステップ２０１ｆによって示す。
【００５９】
このＣＤＭＡレンジングメッセージを許容可能なしきい値内で受信すると、中継局は、ステップ２０５ａで、ＣＤＭＡレンジングメッセージと共に最初のメッセージを基地局に送信し、ステップ２０７で、変数を含む成功したレンジング応答を含むメッセージを移動局に送信し、かつＬ１リンクのための符号およびアップリンク帯域幅を含むＣＤＭＡ割り当てメッセージを送信する。
【００６０】
ＣＤＭＡレンジングメッセージを受信すると、基地局は、ステップ２０９で、成功符号ならびにアップリンク帯域幅および符号変数を伴うレンジング応答メッセージを送信する。中継局から基地局へのＣＤＭＡレンジング要求サイクルの期間は普通、中継局がすでに基地局の受信しきい値の範囲内にあるため短いはずであり、したがってコンテンションウィンドウは短い。
【００６１】
中継局からレンジング要求応答メッセージを受信すると、移動局は、ステップ２１１で、ＭＡＣアドレスおよびプロファイル情報を含む完全なレンジング要求メッセージをＬ１リンク上で中継局に送信する。
【００６２】
ステップ２１３では、中継局は、ＭＡＣアドレスおよびプロファイル情報を含む完全なレンジング要求メッセージをＬ２リンク上で基地局に送信する。
【００６３】
基地局は、ステップ２１５で、中継局から完全なレンジング要求メッセージを受信すると、ＣＩＤを含むレンジング応答メッセージを返送し、これはその後、ステップ２１７で中継局から移動局に転送される。
【００６４】
したがって、中継局を介して基地局と移動局との間で送られる送信レンジング情報の量を減少させることによって、レンジングを行うための応答時間は大きく短縮される。
【００６５】
移動局と基地局との間に多数の中継局が配置される多重ホップ環境では、この時間はさらに短縮される。
【００６６】
本発明の第２の実施形態を図５に示す。図４で説明したものと同様のステップまたはネットワーク要素を示す場合、同じ参照番号を使用する。
【００６７】
ステップ２０１ａ、２０３および２１１ｆは図４で説明したものと同じである。したがって、移動局は初期ＣＤＭＡレンジング要求を中継局に送信し、ステップ２０１ｆで移動局がしきい値内のＣＤＭＡレンジング変数を送信するまで、中継局と移動局とはＬ１リンクのために必要なＣＤＭＡリンク状態に反復しながら近づいていく。この時点で、前の実施形態を参照して上記で説明したように、中継局は、ステップ２０７で、成功メッセージを移動局に送信する。
【００６８】
しかし、以前中継局が初めに基地局と接続した時実行されたＣＤＭＡレンジング手順はまだ有効と考えられており、したがって使用された符号および電力値も中継局と基地局との間の通信のために有効であるので、中継局は、ステップ２０６で、帯域幅の要求を基地局に送信する。基地局は、ステップ２１０で、アップリンク割り当てマップを中継局に返送する。これは、移動局と基地局との間の通信のためのある特定のアップリンク容量を移動局のために割り当てるものである。
【００６９】
ステップ２１１、２１３、２１５および２１７では、前に図４を参照して説明したものと同じ手順が実行されレンジング処理を完了する。
【００７０】
したがって、この実施形態はアップリンク割り当てを中継局に伝えることだけを必要とするので、前の実施形態の効率をさらに改善する。
【００７１】
本発明の実施形態によっては、それぞれ図４および図５に示される、Ｌ２リンクで実行されるＣＤＭＡレンジング要求（ステップ２０５）およびＬ２リンクで実行される帯域幅要求（ステップ２０６）は、中継局と移動局との間でＣＤＭＡレンジング処理の反復が実行されるのと同時に実行される。
【００７２】
上記で説明した動作は様々なエンティティでのデータ処理を必要とすることがある。１つ以上のデータプロセッサによってデータ処理を提供してもよい。コンピュータにロードした時実施形態を実現する、適切に適応させたコンピュータプログラムコード製品を使用してもよい。この動作を提供するためのプログラムコード製品は、キャリアディスク、カードまたはテープといったキャリア媒体上に格納しまたそれによって提供してもよい。データネットワークを介してプログラムコード製品をダウンロードすることも可能である。ロケーションサーバでは適当なソフトウェアによって実現してもよい。
【００７３】
上記の実施形態は移動局のようなユーザ機器に関連して説明したが、本発明の実施形態は任意の他の適切な種類のユーザ機器に適用可能であることに注意されたい。
【００７４】
また、本開示においてより詳細に図示し説明した例示的な通信システムはＷｉＭＡＸの用語を使用しているが、提案される解決法の実施形態は、本発明の実施形態によって利点が得られる任意の通信システムで使用できる。本発明は、セルラ移動またはＷＬＡＮシステムといった環境に制限されない。本発明は、例えば、「インターネット」および／または「イントラネット」として知られるコンピュータのネットワークの一部として実現できる。さらに、ユーザ機器１４は、本発明の実施形態によっては、（非同期または同期何れかの）デジタル加入者回線（ＤＳＬ）または適切なゲートウェイを介した公衆交換電話通信網（ＰＳＴＮ）といった固定接続を介してネットワークと通信できる。
【００７５】
以上本発明の例示実施形態を説明したが、添付の特許請求の範囲に定義される本発明の範囲から逸脱することなく、開示された解決法に種々の変更または修正をなしうることに注意されたい。
【図１】
2009543400.tif 000003
【図２】
2009543400.tif 000004
【図３】
2009543400.tif 000005
【図４】
2009543400.tif 000006
【図５】
2009543400.tif 000007
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
通信ネットワークで使用するための中継器であって、該中継器が、
ユーザ機器から初期レンジング要求を受信し、
少なくとも部分的に前記初期レンジング要求に基づいて初期レンジング応答を生成し、
前記ユーザ機器に前記初期レンジング応答を送信し、
完全なレンジング要求を前記ユーザ機器から受信し、
前記完全なレンジング要求を基地局に送信し、
前記完全なレンジング要求に関連付けられたレンジング応答を前記基地局から受信し、
前記基地局から受信した前記レンジング応答を前記ユーザ機器に送信するように構成されたプロセッサを備える、中継器。
【請求項２】
前記中継器が、
前記ユーザ機器に前記初期レンジング応答を送信するための帯域幅を要求する帯域幅要求を前記基地局に送信し、
前記基地局から帯域幅応答を受信するようにさらに構成された、請求項１に記載の中継器。
【請求項３】
前記完全なレンジング要求が前記ユーザ機器のＭＡＣアドレスを備える、請求項１に記載の中継器。
【請求項４】
前記初期レンジング応答が、前記中継器と前記ユーザ機器との間のＬＩリンクの調整情報を備える、請求項１に記載の中継器。
【請求項５】
前記中継器が中継局である、請求項１に記載の中継器。
【請求項６】
前記ユーザ機器が移動局である、請求項１に記載の中継器。
【請求項７】
ユーザ機器から初期レンジング要求を受信するステップと、
少なくとも部分的に前記初期レンジング要求に基づいて初期レンジング応答を生成するステップと、
前記ユーザ機器に前記初期レンジング応答を送信するステップと、
完全なレンジング要求を前記ユーザ機器から受信するステップと、
前記完全なレンジング要求を基地局に送信するステップと、
前記完全なレンジング要求に関連付けられたレンジング応答を前記基地局から受信するステップと、
前記基地局から受信した前記レンジング応答を前記ユーザ機器に送信するステップと、を備える方法。
【請求項８】
前記ユーザ機器に前記初期レンジング応答を送信するための帯域幅を要求する帯域幅要求を前記基地局に送信するステップと、
前記基地局から帯域幅応答を受信するステップと、をさらに備える、請求項７に記載の方法。
【請求項９】
前記完全なレンジング要求が前記ユーザ機器のＭＡＣアドレスを備える、請求項８に記載の方法。
【請求項１０】
前記初期レンジング応答が、前記中継器と前記ユーザ機器との間のＬ１リンクの調整情報を備える、請求項７に記載の方法。
【請求項１１】
前記初期レンジング要求を受信するステップが中継局において前記初期レンジング要求を受信するステップを備える、請求項７〜１０のいずれか１項に記載の方法。
【請求項１２】
前記ユーザ機器が移動局である、請求項７に記載の方法。
【請求項１３】
コンピュータが方法を実行するように動作させるように配置されたコンピュータプログラムであって、該方法が、
ユーザ機器から初期レンジング要求を受信するステップと、
少なくとも部分的に前記初期レンジング要求に基づいて初期レンジング応答を生成するステップと、
前記ユーザ機器に前記初期レンジング応答を送信するステップと、
完全なレンジング要求を前記ユーザ機器から受信するステップと、
前記完全なレンジング要求を基地局に送信するステップと、
前記完全なレンジング要求に関連付けられたレンジング応答を前記基地局から受信するステップと、
前記基地局から受信した前記レンジング応答を前記ユーザ機器に送信するステップと、を備えるコンピュータプログラム。
【国際調査報告】
2009543400.tif 000008
2009543400.tif 000009
2009543400.tif 000010